(57)【要約】【課題】海底地震等により発生した津波を水中に展開したネット状物等により遮ることができると共に、ネット状物等を海底に容易に、かつ、効率的に設置する。【解決手段】ネット状物２の下端を第１係留手段３に固着し、前記ネット状物２の上端と第２係留手段４とを複数本の係留索５により連結して、前記ネット状物２と前記第１，第２係留手段３，４及び前記係留索５を一体化し、かつ、前記ネット状物２に不透水性のシート６ａ，６ｂを少なくとも１段展着するとともに、前記不透水性のシート６ａ，６ｂの上端に相当するネット状物２の部位に浮体７を装着する。【選択図】図１
2014118685.tif 000002
【特許請求の範囲】
【請求項１】
ネット状物の下端を第１係留手段に固着し、前記ネット状物の上端と第２係留手段とを複数本の係留索により連結して、前記ネット状物と前記第１，第２係留手段及び前記係留索を一体化し、かつ、前記ネット状物に不透水性のシートを少なくとも１段展着するとともに、前記不透水性のシートの上端に相当するネット状物の部位に浮体を装着することを特徴とすることを特徴とする津波減衰装置。
【請求項２】
ネット状物の左右両端に目印用のブイを設けたことを特徴とする請求項１記載の津波減衰装置。
【請求項３】
第１係留手段の長さをネット状物の横幅と同等にするとともに、第２係留手段の長さを前記第１係留手段の長さと同等若しくは前記第１係留手段の長さよりも多少短くすることを特徴とする請求項１記載の津波減衰装置。
【請求項４】
第１係留手段及び第２係留手段の底部に棒状の多数のアンカー爪を設けることを特徴とする請求項１又は３記載の津波減衰装置。
【請求項５】
第１係留手段及び第２係留手段の底部に設けたアンカー爪を陸に向かって傾斜させることを特徴とする請求項１又は３記載の津波減衰装置。
【発明の詳細な説明】
【技術分野】
【０００１】
本発明は、海底に設置する津波減衰装置に関する。
【背景技術】
【０００２】
従来は、沿岸に防波堤を構築して津波を防ぐようにしているが、従来の鉄筋コンクリート製の津波防波堤は、防波堤を大きく、重く、かつ、堅固にすることで津波の衝撃に耐えるようにしているため、多量の資材を用いて建設しなければならず、建設に長い期間が必要となり、また、多額の建設費用がかかるという問題があった。
【０００３】
他方、海底に設置する津波防波堤として、海面に浮上させる浮体から不透水性の幕体を垂らして幕体の下縁部を海底に固定するとともに、浮体の沖側海底に置く固定点と浮体とを複数の係留索で結ぶ津波防波堤が提案されている（例えば、特許文献１参照。）。
【０００４】
しかし、この津波防波堤は、海面に浮上させる浮体と海底の固定点の間に設けられた膜体が不透水性であるから水の抵抗が大きく、津波が襲来すると、膜体がアルファベットのＵの字を横に倒したように押しつぶされたような形状になり、水中に展開させることが難しい。
【先行技術文献】
【特許文献】
【０００５】
【特許文献１】特開２００６−２４９９１４号公報
【発明の概要】
【発明が解決しようとする課題】
【０００６】
本発明は、上記の問題を解決するためになされたものであり、その目的は、海底地震等により発生した津波を水中に展開したネット状物等で減衰させることができると共に、海底に容易に、かつ、効率的に設置することができる津波減衰装置を提供することにある。
【課題を解決するための手段】
【０００７】
本発明の請求項１に係る津波減衰装置は、ネット状物の下端を第１係留手段に固着し、前記ネット状物の上端と第２係留手段とを複数本の係留索により連結して、前記ネット状物と前記第１，第２係留手段及び前記係留索を一体化し、かつ、前記ネット状物に不透水性のシートを少なくとも１段展着するとともに、前記不透水性のシートの上端に相当するネット状物の部位に浮体を装着することを特徴とする。
【０００８】
本発明の請求項２に係る津波減衰装置は、ネット状物の左右両端に目印用のブイを設けたことを特徴とする。
【０００９】
本発明の請求項３に係る津波減衰装置は、第１係留手段の長さをネット状物の横幅と同等にするとともに、第２係留手段の長さを前記第１係留手段の長さと同等若しくは前記第１係留手段の長さよりも多少短くすることを特徴とする。
【００１０】
本発明の請求項４に係る津波減衰装置は、第１係留手段及び第２係留手段の底部に棒状の多数のアンカー爪を設けることを特徴とする。
【００１１】
本発明の請求項５に係る津波減衰装置は、第１係留手段及び第２係留手段の底部に設けたアンカー爪を陸に向かって傾斜させることを特徴とする。
【発明の効果】
【００１２】
本発明は、ネット状物の下端を第１係留手段に固着し、前記ネット状物の上端と第２係留手段とを複数本の係留索により連結して、前記ネット状物と前記第１，第２係留手段及び前記係留索を一体化したため、クレーンを持った作業船等を用いて津波減衰装置を海底に容易に、かつ、効率的に設置することができる。また、前記ネット状物に不透水性のシートを少なくとも１段展着するとともに、前記不透水性のシートの上端に相当するネット状物の部位に浮体を装着することにより、津波発生時に、ネット状物が持ち上がり、１段目の不透水性のシートに揚力が発生するようになる。
【図面の簡単な説明】
【００１３】
【図１】本発明に係る津波減衰装置の一部断面を含む平面図である。
【図２】係留手段の側面図である。
【図３】係留手段の要部拡大側面図である。
【図４】第１係留手段の設置作業説明図である。
【図５】第２係留手段の設置作業説明図である。
【図６】本発明に係る津波減衰装置の水中展開説明図である。
【図７】隣接する津波減衰装置を連結してユニット化した正面図である。
【発明を実施するための形態】
【００１４】
以下、図面を参照して本発明の実施の形態について説明する。
【００１５】
図１の平面図に示すように、本発明に係る津波減衰装置１は、ネット状部材２の下端を第１係留手段３に固着し、前記ネット状部材２の上端と第２係留手段４とを複数本の係留索５により連結して、ネット状部材２と第１，第２係留手段３，４及び係留索５を一体化した構造になっている。
【００１６】
この実施の形態では、ネット状部材２の前面に２枚の不透水性のシート６ａ，６ｂを、図１において、上下２段になるように展着するが、この不透水性のシートの設置段数は、１段でも良いし、３段以上でも良い。
【００１７】
その際、１段目の不透水性のシート６ａは、その上端がネット状部材２の上端と一致するようにネット状部材２に展着する。また、１段目の不透水性のシート６ａと２段目の不透水性のシート６ｂの間に、図６に示すように隙間８を設ける。これによって、１段目の不透水性のシート６ａ周りの流れが翼断面周りの流れと同等になり、シート６ａに揚力が発生する。更に、ネット状部材２の上端に浮体７を装着するとともに、２段目の不透水性のシート６ｂの上端に相当するネット状部材２の部位にも浮体７を装着する。
【００１８】
不透水性のシート６ａ，６ｂとしては、帆布に熱可塑性合成樹脂を含浸させたもの、或いは、布帛の両側に合成樹脂製シートをサンドイッチ状に貼り合わせたものなどを挙げることができる。要は、通水性が無く、かつ、丈夫で耐久性に富むとともに、柔軟性を有するものが好ましい。
【００１９】
また、海底２０に設置した津波減衰装置１の設置箇所が分かるようにネット状部材２の上端の左右両端にロープ１０を介して目印となるブイ１１を取り付けている。
【００２０】
この際、第１係留手段３の長さをネット状部材２の横幅と同等にするとともに、第２係留手段４の長さを前記第１係留手段３の長さと同等若しくは前記第１係留手段３の長さよりも多少短くする（図１参照。）。
【００２１】
また、図２に示すように、第１係留手段３及び第２係留手段４の底部に棒状の多数のアンカー爪９を設ける。なお、図３に示すように、第１係留手段３及び第２係留手段４の底部に設けたアンカー爪９を陸に向かって傾斜させることが好ましい。
【００２２】
上記津波減衰装置１は、ネット状部材２と、２枚の不透水性のシート６ａ，６ｂと、浮体７により、比重１に近い重量にすることが好ましい。このように設定することにより、図６に示すように、平時でもネット状部材２の上端が海底２０から立ち上がり、津波の第１波を捉え易くなる。
【００２３】
次に、津波減衰装置１の設置方法について説明する。なお、符号Ｗは、海面を示している。
【００２４】
津波減衰装置１を作業船１３によって設置対象の水域に運搬した後、図４に示すように、津波減衰装置１の第１係留手段３に接続したワイヤー１５を作業船１３のクレーン１４によって吊り下げながら津波減衰装置１の第１係留手段３を水底２０に設置する。その際、ネット状部材２は、第１係留手段３に引きずられて水中に引き込まれる。第１係留手段３が水底２０に着底したら第１係留手段３からワイヤー１５を取り外す。
【００２５】
その後、図５に示すように、作業船１３を第１係留手段３の設置場所から沖に向かって所定の距離だけ移動させた後、津波減衰装置１の第２係留手段４に接続したワイヤー１５を作業船１３のクレーン１４によって吊り下げながら津波減衰装置１の第２係留手段４を水底２０に設置する。第２係留手段４が水底２０に着底したら第２係留手段４からワイヤー１５を取り外す。
【００２６】
図６に示すように、海底２０に設置された津波減衰装置１は、平時において、破線で示すように、ネット状部材２の上端が海底２０に接触することなく、水中を浮遊して津波を捉え易くなっている。
【００２７】
海底地震が発生して津波の第１波が襲来すると、津波の第１波によってネット状部材２が一点鎖線で示すように持ち上げられ、ネット状部材２の上端に展着した不透水性のシート６ａが航空機の主翼のような形状になる。
【００２８】
しかして、航空機の主翼のような形状になった不透水性のシート６ａの上面に沿って流れる速い流れによって不透水性のシート６ａに揚力が発生して、ネット状部材２が二点鎖線で示すように立ち上がる。
【００２９】
２点鎖線で示すように立ち上がったネット状部材２によって遮られた津波は、沖の方に押し戻され、継続して押し寄せる津波の威力を低減させる。
【００３０】
なお、図７に示すように、隣接する２台の津波減衰装置１，１のネット状部材２，２の上端部をシャックル１７等によって連結してユニット化することができる。
【符号の説明】
【００３１】
２  ネット状物
３  第１係留手段
４  第２係留手段
５  係留索
６ａ  １段目の不透水性のシート
６ｂ  ２段目の不透水性のシート
７  浮体
【図１】
2014118685.tif 000003
【図２】
2014118685.tif 000004
【図３】
2014118685.tif 000005
【図４】
2014118685.tif 000006
【図５】
2014118685.tif 000007
【図６】
2014118685.tif 000008
【図７】
2014118685.tif 000009